(57)【特許請求の範囲】
【請求項１】
輪状ステータ板(1)の一面(1a)に所定角度間隔毎に切り起して形成された多数のレゾルバステータ片(2)と、前記輪状ステータ板(1)の一面(1a)に一体成形又は別体で形成され前記各レゾルバステータ片(2)の周囲を囲うボビン部(21)を有する輪状絶縁キャップ(3)と、前記ボビン部(21)に形成された上部鍔部(23)及び下部鍔部(24)と、前記輪状絶縁キャップ(3)の前記各下部鍔部(24)間に形成された凹部(40)と、前記凹部(40)内に設けられ頂部鍔部(31)を有する断面Ｔ字型の渡りピン(25)と、前記ボビン部(21)の外周に巻回された三層のステータ巻線(4)と、を備え、
前記各ボビン部(21)間を渡る前記ステータ巻線(4)の渡り線(30)は前記渡りピン(25)の頂部鍔部(31)の下面(31a)に係合すると共に、前記下面(31a)は前記下部鍔部(24)の上面(21a)より輪状ステータ板(1)側へ位置していることを特徴とするレゾルバ構造。
【請求項２】
前記下部鍔部(24)は、前記上部鍔部(23)より厚さが厚く形成されていることを特徴とする請求項１記載のレゾルバ構造。
【請求項３】
前記レゾルバステータ片(2)は、前記ボビン部(21)から外方へ突出していることを特徴とする請求項１又は２記載のレゾルバ構造。
【請求項４】
前記輪状ステータ板(1)の外周縁(10)は、所定角度間隔で形成されると共に半径方向に延設された多数のステータ舌片(12)よりなり、前記各ステータ舌片(12)間の空隙(11)に対応して前記各レゾルバステータ片(2)が配設されていることを特徴とする請求項１ないし３の何れかに記載のレゾルバ構造。
【請求項５】
前記ステータ舌片(12)には取付固定用の取付孔(12a)が形成されていることを特徴とする請求項４記載のレゾルバ構造。
【発明の詳細な説明】
【技術分野】
【０００１】
本発明は、レゾルバ構造に関し、特に、輪状ステータ板から立ち上げられたレゾルバステータ片のボビン部に対し、三層のステータ巻線の巻線形状を揃えるようにするための新規な改良に関する。
【背景技術】
【０００２】
従来、用いられていたこの種のレゾルバ構造としては、一般に、特許文献１に開示された構成を図７として挙げることができ、図７において、輪状ステータ板１の内方へ突出する各磁極２には、輪状絶縁キャップ３を介してステータ巻線４が巻回されている。
前記輪状絶縁キャップ３の一端には、複数の端子ピン５を有するコネクタ６が設けられている。
【０００３】
前述の図７の従来構成は、ハイブリッドカー等に多用されているが、輪状ステータ板が多層の積層板で構成される等により高コストであるため、図８で示される特許文献２の低コスト化の構成の提案がなされている。
すなわち、図８において、ステータ１上に設けた励磁巻線４ａと検出巻線４ｂとからなる複数のステータ巻線４上に固定子上部板７が設けられ、前記ステータ１と固定子上部板７との間には、積層型の磁性体回転子８が回転自在に配設されている。
【０００４】
前述の図８の従来構成の場合、図７の従来構成に比較すると、低価格化は可能であるが、ステータ巻線を大型化することができず、出力電圧を十分に得ることが困難である。
【０００５】
前述の図７及び図８で示される従来構成の課題を克服するために開発された構成として、特許文献は開示していないが、図４〜図６の構成を挙げることができる。
すなわち、図４〜図６において符号１で示されるものは、全体形状が輪状をなす輪状ステータ板であり、この輪状ステータ板１の外周縁１０には空隙１１を介して多数のステータ舌片１２が所定角度間隔で配設されている。
【０００６】
前記各空隙１１は、前記輪状ステータ板１の各空隙１１に相当する部分をプレス時に打ち抜き、図５で示されるように直角状にレゾルバステータ片２を切り起すことにより一体に形成され、各空隙１１に対応する内側に配設されている。
【０００７】
前記各ステータ舌片１２のいくつかには、取付用の取付孔１２ａが形成され、各取付孔１２ａを介してレゾルバ２０を各種機器等に取付けることができる。
前記輪状ステータ板１の一面上には、インサート成形又は別物による別体として形成された輪状絶縁キャップ３が設けられている。
【０００８】
前記各レゾルバステータ片２は、前記各空隙１１に対応してその内側に配設されていると共に、前記輪状絶縁キャップ３により各レゾルバステータ片２はその周囲が囲まれるように構成されている。
【０００９】
図６は、図５のＢ部を拡大して示す断面図であり、各レゾルバステータ片２の周囲を囲む前記輪状絶縁キャップ３の各ボビン部２１に貫通孔２２が形成され、この貫通孔２２内に前記各レゾルバステータ片２が貫通して設けられている。
【００１０】
前記各ボビン部２１は、上部鍔部２３と下部鍔部２４とを有し、前記各鍔部２３，２４間の外周に励磁巻線４ｃ、第１、第２出力巻線４ａ，４ｂからなる三層構成のステータ巻線４が巻回されている。
前記各ボビン部２１間の前記輪状絶縁キャップ３上には、渡りピン２５が一体状に突出して形成されている。
前記渡りピン２５は、一方のボビン部２１から他方のボビン部２１に対して前記各巻線４ａ，４ｂ，４ｃが渡る時に位置決めの係合用として用いられる。
【先行技術文献】
【特許文献】
【００１１】
【特許文献１】米国特許第６０２８３８３号明細書
【特許文献２】特開２００８−１３１６６７号公報
【発明の概要】
【発明が解決しようとする課題】
【００１２】
従来のレゾルバ構造は、以上のように構成されていたため、次のような課題が存在していた。
すなわち、各ボビンには励磁巻線、第１出力巻線及び第２出力巻線が三層構造として巻回されているため、図６に示されるように、ボビン部に対して励磁巻線、第１出力巻線及び第２出力巻線の順で巻く場合に、各ボビン部間を渡りピンを介して渡る場合、渡りピンの周面の一部に渡り線が渡りピンの高さ方向へ積み重なることになるため、励磁巻線の外側の第１、第２出力巻線は、図６の階段状となり、巻線の下端部分には巻線が巻回できず、整列巻線が不能となり、占積率が低下して特性のバラツキが大となっていた。
【課題を解決するための手段】
【００１３】
本発明によるレゾルバ構造は、輪状ステータ板の一面に所定角度間隔毎に切り起して形成された多数のレゾルバステータ片と、前記輪状ステータ板の一面に一体成形又は別体で形成され前記各レゾルバステータ片の周囲を囲うボビン部を有する輪状絶縁キャップと、前記ボビン部に形成された上部鍔部及び下部鍔部と、前記輪状絶縁キャップの前記各下部鍔部間に形成された凹部と、前記凹部内に設けられ頂部鍔部を有する断面Ｔ字型の渡りピンと、前記ボビン部の外周に巻回された三層のステータ巻線と、を備え、前記各ボビン部間を渡る前記ステータ巻線の渡り線は前記渡りピンの頂部鍔部の下面に係合すると共に、前記下面は前記下部鍔部の上面より輪状ステータ板側へ位置している構成であり、また、前記下部鍔部は、前記上部鍔部より厚さが厚く形成されている構成であり、また、前記レゾルバステータ片は、前記ボビン部から外方へ突出している構成であり、また、前記輪状ステータ板の外周縁は、所定角度間隔で形成されると共に半径方向に延設された多数のステータ舌片よりなり、前記各ステータ舌片間の空隙に対応して前記各レゾルバステータ片が配設されている構成であり、また、前記ステータ舌片には取付固定用の取付孔が形成されている構成である。
【発明の効果】
【００１４】
本発明によるレゾルバ構造は、以上のように構成されているため、次のような効果を得ることができる。
すなわち、輪状ステータ板の一面に所定角度間隔毎に切り起して形成された多数のレゾルバステータ片と、前記輪状ステータ板の一面に一体成形又は別体で形成され前記各レゾルバステータ片の周囲を囲うボビン部を有する輪状絶縁キャップと、前記ボビン部に形成された上部鍔部及び下部鍔部と、前記輪状絶縁キャップの前記各下部鍔部間に形成された凹部と、前記凹部内に設けられ頂部鍔部を有する断面Ｔ字型の渡りピンと、前記ボビン部の外周に巻回された三層のステータ巻線と、を備え、前記各ボビン部間を渡る前記ステータ巻線の渡り線は前記渡りピンの頂部鍔部の下面に係合すると共に、前記下面は前記下部鍔部の上面より輪状ステータ板側へ位置していることにより、巻線時の渡り線は全て渡りピンの頂部鍔部の下面で抑えられるため、励磁巻線を巻回した後の第１、第２出力巻線も励磁巻線と同様に下部から巻回でき、整列巻線によって検出精度が向上し、製品の品質向上及び生産性の向上が可能となる。
また、前記下部鍔部は、前記上部鍔部より厚さが厚く形成されていることにより、渡りピンの周囲の凹部を形成することが容易となる。
また、前記レゾルバステータ片は、前記ボビン部から外方へ突出していることにより、図示しないロータとの対応が容易となる。
また、前記輪状ステータ板の外周縁は、所定角度間隔で形成されると共に半径方向に延設された多数のステータ舌片よりなり、前記各ステータ舌片間の空隙に対応して前記各レゾルバステータ片が配設されていることにより、ステータ構造の作成が容易となる。
また、前記ステータ舌片には取付固定用の取付孔が形成されていることにより、レゾルバステータ片に対する輪状絶縁キャップの装着が容易となる。
【図面の簡単な説明】
【００１５】
【図１】本発明によるレゾルバ構造を示す平面図である。
【図２】図１のＡ−Ａ拡大断面図である。
【図３】図２のＣ部の拡大断面図である。
【図４】従来のレゾルバ構造を示す平面図である。
【図５】図４のＡ−Ａ拡大断面図である。
【図６】図５のＢ部の拡大断面図である。
【図７】従来のレゾルバ構造を示す平面図である。
【図８】従来のレゾルバ構造を示す斜視図である。
【発明を実施するための形態】
【００１６】
本発明は、輪状ステータ板から立上げられたレゾルバステータ片のボビンに対し、三層のステータ巻線の巻線形状を揃えるようにしたレゾルバ構造を提供することを目的とする。
【実施例】
【００１７】
以下、図面と共に本発明によるレゾルバ構造の好適な実施の形態について説明する。
尚、従来例と同一又は同等部分には、同一符号を付して説明する。
すなわち、図１〜図３において符号１で示されるものは、全体形状が輪状をなす輪状ステータ板であり、この輪状ステータ板の外周縁１０には空隙１１を介して多数のステータ舌片１２が所定角度間隔で半径方向に延設して配設されている。
【００１８】
前記空隙１１は、前記輪状ステータ板１の各空隙１１に相当する部分をプレス時に打ち抜き、図２で示されるように直角状にレゾルバステータ片２をその一面１ａ側に切り起すことにより一体に形成され、各空隙１１に対応する内側に配設されている。
【００１９】
前記各ステータ舌片１２のいくつかには、取付用の取付孔１２ａが形成され、各取付孔１２ａを介してレゾルバ２０を各種機器等に取付けることができる。
前記輪状ステータ板１の一面１ａ上には、インサート成形または別物による別体として形成された輪状絶縁キャップ３が設けられている。
【００２０】
前記各レゾルバステータ片２は、前記各空隙１１に対応してその内側に配設されていると共に、前記輪状絶縁キャップ３により各レゾルバステータ片２はその周囲が囲まれるように構成されている。
【００２１】
図３は、図２のＣ部を拡大して示す断面図であり、各レゾルバステータ片２の周囲を囲む前記輪状絶縁キャップ３の各ボビン部２１に貫通孔２２が形成され、この貫通孔２２内に前記各レゾルバステータ片２が貫通して設けられている。
【００２２】
前記各ボビン部２１は、上部鍔部２３と下部鍔部２４とを有し、前記各鍔部２３，２４間の外周に励磁巻線４ｃ、第１、第２出力巻線４ａ，４ｂからなる三層構成のステータ巻線４が巻回されている。
前記各ボビン部２１間の前記輪状絶縁キャップ３上には、渡りピン２５が一体状又は別体状にて突出して形成されている。
前記渡りピン２５は、一方のボビン部２１から他方のボビン部２１に対して前記各巻線４ａ，４ｂ，４ｃが渡る時に位置決めの係合用として用いられる。
【００２３】
前記各ボビン部２１の各下部鍔部２４間には、凹部４０が形成され、この凹部４０の中央位置に前記渡りピン２５が配設されている。
前記渡りピン２５の先端には、頂部鍔部３１が形成されて断面Ｔ字型に構成され、前記ステータ巻線4の各巻線４ａ，４ｂ，４ｃの渡り線３０は、一方のボビン部２１の上面２１ａから渡りピン２５の頂部鍔部３１の下面３１ａに係合して他方のボビン部２１の上面２１ａから巻き付けられている。
【００２４】
前記凹部４０は、前記下部鍔部２４の上面２１ａよりも輪状ステータ板１側に向けて深さを有するように窪んで形成され、前記下面３１ａは前記上面２１ａより前記輪状ステータ板１側へ位置するように構成されている。
【００２５】
前記下部鍔部２４の第２厚さＴ２は、前記上部鍔部２３の第１厚さＴ１より厚く形成されていることにより、この下部鍔部２４に凹部４０が形成できるように構成されている。
【００２６】
前記各ボビン部２１に設けられたレゾルバステータ片２は、前記ボビン部２１の貫通孔２２から外方へ向けて突出し、前記各ボビン部２１から突出した前記各レゾルバステータ片２の内側には、図示しないレゾルバロータが回転自在に配設できるように構成されている。
【００２７】
従って、前述の構成において、各ボビン部２１に対して、励磁巻線４ｃ、第１出力巻線４ａ、第２出力巻線４ｂを巻回させる場合、下部鍔部２４の上面２１ａよりも渡りピン２５の頂部鍔部３１の下面３１ａが下方、すなわち、輪状ステータ板１側へ位置しているため、各ボビン部２１間を渡る渡り線３０は、常に、各ボビン部２１の下部鍔部２４の上面２１ａに接しつつ前記下面３１ａに係合することになる。その結果、前記各巻線４ａ〜４ｃの下端は前記上面２１ａ上に接して揃うことになり、従来のように下端が階段状に不揃いとなることもなく、均一な巻線形状とすることができる。
【００２８】
前述のステータ巻線４の均一な巻線形状により、ステータ巻線４の下端と鉄心である輪状ステータ板１との距離が従来より接近した状態で巻線可能となり、磁気効率の向上、変圧比の精度向上、巻線形状の均一化、レゾルバの検出精度向上、レゾルバの品質向上、生産性の向上を得ることができる。
【産業上の利用可能性】
【００２９】
本発明によるレゾルバ構造は、レゾルバのみではなく、各種モータのステータ構造にも適用可能である。
【符号の説明】
【００３０】
１    輪状ステータ板
１ａ    上面
２    レゾルバステータ片
３    輪状絶縁キャップ
４    ステータ巻線
４ａ    第１出力巻線
４ｂ    第２出力巻線
４ｃ    励磁巻線
１０    外周縁
１１    空隙
１２    ステータ舌片
１２ａ    取付孔
２０    レゾルバ
２１    ボビン部
２１ａ    上面
２２    貫通孔
２３    上部鍔部
２４    下部鍔部
２５    渡りピン
３０    渡り線
３１    頂部鍔部
３１ａ    下面
４０    凹部
Ｔ１    第１厚さ
Ｔ２    第２厚さ
【図１】
0005467224.tif 000002
【図２】
0005467224.tif 000003
【図３】
0005467224.tif 000004
【図４】
0005467224.tif 000005
【図５】
0005467224.tif 000006
【図６】
0005467224.tif 000007
【図７】
0005467224.tif 000008
【図８】
0005467224.tif 000009